(57)【要約】【課題】γ補正を映像信号に施すことなく、映像を表示でき、また、動画ボケ（尾引き又は残像）対策のために一般に用いられるオーバドライブ方法または疑似インパルス駆動方法を利用せずに、動画ボケの発生を極力抑えることができる液晶表示装置を提供すること。【解決手段】画像を表示する表示液晶２１と表示液晶２１を照射するバックライト４１を備えた液晶表示装置１には、表示液晶２１とバックライト４１の間にバックライト４１が照射する光の透過を制御するスイッチ液晶３１が配設されている。また、表示液晶の画素２１ａとスイッチ液晶の画素３１ａとが１対１の関係で対応している。【選択図】図１
2008051912.tif 000002
【特許請求の範囲】
【請求項１】
画像を表示する表示液晶パネルと該表示液晶パネルを照射するバックライトを備えた液晶表示装置であって、
前記表示液晶パネルと前記バックライトの間に前記バックライトが照射する光の透過を制御するスイッチ液晶パネルを配設したことを特徴とする液晶表示装置。
【請求項２】
前記表示液晶の画素と前記スイッチ液晶の画素とが１対１の関係で対応していることを特徴とする請求項１に記載の液晶表示装置。
【請求項３】
前記表示液晶の画素と前記スイッチ液晶の画素とが複数対１の関係で対応していることを特徴とする請求項１に記載の液晶表示装置。
【請求項４】
前記表示液晶パネルと前記スイッチ液晶パネルとの間、及び、前記スイッチ液晶パネルと前記バックライトの間に偏光板を配設したことを特徴とする請求項１〜３のいずれか１に記載の液晶表示装置。
【請求項５】
前記スイッチ液晶パネルは複数の走査線及び信号線を有し、前記走査線は前記表示液晶パネルの走査線の駆動と同期して駆動され、また、前記信号線は、前記表示液晶パネルに表示される表示画像の輝度信号に応じた信号により駆動されることを特徴とする請求項１〜４のいずれか１に記載の液晶表示装置。
【請求項６】
前記表示画像の輝度信号に応じた信号は、前記輝度信号の大きさに比例した、パルス幅の信号であることを特徴とする請求項５に記載の液晶表示装置。
【請求項７】
前記パルス幅の信号は、前記パルス幅の開始点が前記信号線に対応する前記走査線の駆動開始時点に位置するように供給されることを特徴とする請求項６に記載の液晶表示装置。
【請求項８】
前記パルス幅の信号は、前記パルス幅の中心が前記信号線に対応する前記走査線の駆動開始時点から終了時点の中間に位置するように供給されることを特徴とする請求項６に記載の液晶表示装置。
【発明の詳細な説明】
【技術分野】
【０００１】
本発明は、液晶表示装置に関する。
【背景技術】
【０００２】
図８（Ａ）は、ＴＦＴ方式の液晶表示装置の回路構成を示すブロック図であり、図８（Ｂ）は、図８（Ａ）に示したＴＦＴ液晶の等価回路の一例を示している。
【０００３】
図８（Ａ）中、５１は表示液晶のパネル、５２はゲート線Ｇを駆動するゲートドライバ、５３はソース線Ｓを駆動するソースドライバ、５４はゲートドライバ５２，ソースドライバ５３を制御する表示制御装置である。
【０００４】
図８（Ｂ）中、５１ａはマトリクス状に形成される複数の画素で、５１ｂは薄膜トランジスタ（ＴＦＴ）で、５１ｃは表示媒体としての液晶層、５１ｄは補助容量である。
ゲート線（又は走査線）Ｇは、各ＴＦＴ５１ｂのゲートに接続されている。また、各ゲート線Ｇは、行方向の各画素５１ａのＴＦＴ５１ｂのゲートに走査駆動電圧（正又は負のバイアス電圧）を供給するゲートドライバ５２に接続されている。
【０００５】
ソース線（又は信号線）Ｓは、ＴＦＴ５１ｂの駆動端子の一方（通常ソース）に接続されている。また、各ソース線Ｓは、列方向の各画素の液晶層５１ｃの液晶に電圧を印加するソースドライバ５３に接続されている。
【０００６】
また、ＴＦＴ５１ｂの駆動端子の他方（通常ドレイン）は、液晶層５１ｃ及び補助容量５１ｄに接続されている。
【０００７】
ゲートドライバ５２は、各ゲート線Ｇに、ＴＦＴ５１ｂを駆動する走査信号電圧を順次供給して、ＴＦＴ５１ｂを駆動する。
【０００８】
また、ソースドライバ５３は、ソース線Ｓに映像信号電圧を供給し、ゲートドライバ５２が駆動したＴＦＴ５１ｂを介して液晶層５１ｃを充電する。この充電電圧に基づき、各画素５１ａの液晶分子の配向方向を変化させて画像を表示する。
【０００９】
表示制御装置５４は、外部から送信されてくるクロック信号、ディスプレイタイミング信号、水平同期信号、垂直同期信号の各表示制御信号および表示用デ−タ（Ｒ・Ｇ・Ｂ）を基に、ゲートドライバ５２、ソースドライバ５３を制御する。
以上の動作により、表示液晶５１に画像が表示される。
【００１０】
しかし、現在のテレビジョン放送では、発光輝度が入力電圧のγ（２．２）乗に比例するブラウン管を受信側の表示装置として使用することを前提としている。そのため、送信側（撮像系）では、送信する映像信号に１／γ乗の補正（いわゆるγ補正）を施している。
【００１１】
しかし、γ補正は、ブラウン管に対するものであるので、受信側の表示装置として、液晶表示装置を使用する場合、撮像系でのγ補正は不要である。
そこで、液晶表示装置においては、撮像系で行われたγ補正に対する逆補正（かかる補正もγ補正とする）を映像信号に対して行なうようにしている（特許文献１参照）。
【００１２】
また、液晶表示装置で動画像を表示する場合、いわゆる動画ボケ（尾引き又は残像）が発生するという問題があった。
より詳細に説明すると、液晶表示装置は、輝度の応答速度が遅いため、映像変化に追従できず、尾引きが発生する。
【００１３】
また、液晶表示装置は、フレーム期間内に同一画像が表示されるホールド型表示装置であるため、網膜残像に起因する残像現象が発生してしまう。
なお、ＮＴＳＣ方式のＴＶ用の液晶表示装置では、１秒間に６０画面の表示切り替えを行っており、フレーム期間は約１６．７ｍｓｅｃ（＝１／６０）となる。
【００１４】
図９は、前述した動画ボケについて説明するための図である。
図９（Ａ）に示すように、ＴＶ放送では、例えば、フレーム期間開始時に１枚の画像データ（画像信号）Ｐが送信され、次のフレーム期間開始時にもう一枚の画像データＰ’が送信される。
【００１５】
図９（Ｂ）は、ＣＲＴ表示装置に表示される画像データＰの一部分の画素（符号Ａ）及び画像データＰ’の一部分の画素（符号Ａ’）の輝度値を示した図である。
ＣＲＴ表示装置は、図に示すように、輝度の応答時間が極めて早く、蛍光体が瞬間的に次々と点灯するインパルス型であり、映像変化に追従できるので、動画ボケ（尾引き），残像現象が発生することはない。
【００１６】
図９（Ｃ）は、液晶表示装置に表示される画像データＰの一部分の画素（符号Ａ）及び画像データＰ’の一部分の画素（符号Ａ’）の輝度値を示した図である。
液晶表示装置では、図に示すように、輝度の応答速度が遅いため、映像変化に追従できず、動画ボケ（尾引き）が発生する。
また、液晶表示装置は、前述したようにホールド型である。そのため、図に示すように、フレーム期間内において輝度値をホールドし続けてしまい（同一画像が表示され続ける）、動画ボケ（残像）が発生する。
【００１７】
そこで、液晶の動画ボケ（尾引き）を改善する方法として、液晶の立ち上げ、立ち下げ時に過電圧を印可することにより、液晶の応答速度を速くするオーバドライブ方法がある（特許文献２参照）。
【００１８】
また、液晶の動画ボケ（残像）を改善する方法として、黒画像を強制的にフレームに挿入する、または、バックライトを点滅することにより、ＣＲＴの駆動方法に似せる疑似インパルス駆動を行う方法がある（特許文献３参照）。
【特許文献１】特開平０５−０８０７１３号公報
【特許文献２】特開２００６−１６２９０９号公報
【特許文献３】特開２００６−５３４２８号公報
【発明の開示】
【発明が解決しようとする課題】
【００１９】
しかし、γ補正を映像信号に施す場合には、別途γ補正回路を設ける必要があるため、液晶表示装置の回路構成が複雑になるという問題がある。
【００２０】
また、ソース線Ｓ及びゲート線Ｇとの隙間から漏れるバックライトの光いわゆる光漏れにより、このような液晶表示装置に黒映像を表示する場合、完全な黒画像が表示できなくなるという問題があった。さらに、光漏れにより暗所コントラスト比が低下してしまうという問題があった。
【００２１】
また、オーバドライブ方法では、次に述べる技術的な欠点がある。
より詳細に説明すると、液晶の応答速度は、階調によって異なるので、オーバドライブをかける画像データ（現フレームデータ）とオーバドライブをかける前の画像データ（前フレームデータ）とを比較し、比較結果に基づいて印可する電圧を決定しなければならない。そのため、オーバドライブをかける前の画像データ（前フレームデータ）を記憶するためのメモリが必要となる。
【００２２】
さらに、液晶の応答速度は、温度によって変化するので、温度に応じて、印可する電圧を変化させる必要がある。そのため、温度を検知するための温度センサーが必要となる。
【００２３】
このように、オーバドライブ方法を実現するためには、メモリ及び温度センサーが必要となり液晶表示装置の製造コスト及び製造工程が増大してしまうという問題がある。
【００２４】
また、疑似インパルス駆動方法では、次に述べる技術的な欠点がある。
すなわち、黒画像を挿入すると、液晶の輝度値が低下してしまう。そのため、低下した輝度値を補うためにはバックライトの照度を上げる必要があり、バックライトの消費電力が大きくなる。
【００２５】
さらに、バックライトを点滅させる場合には、バックライトが短時間に高回数点滅するため、バックライトの寿命が短くなってしまう。また、バックライトの点滅は視聴者の目にもよくない。
【００２６】
本発明は、かかる実情に鑑みてなされたものであり、γ補正を映像信号に施すことなく、映像を表示できる液晶表示装置を提供することを目的とする。
また、完全な黒画像を表示することができ、かつ、暗所コントラスト比が向上した液晶表示装置を提供することを目的とする。
また、動画ボケ（尾引き又は残像）対策のために一般に用いられるオーバドライブ方法または疑似インパルス駆動方法を利用せずに、動画ボケの発生を極力抑えることができる液晶表示装置を提供することを目的とする。
【課題を解決するための手段】
【００２７】
第１の技術手段は、画像を表示する表示液晶パネルと該表示液晶パネルを照射するバックライトを備えた液晶表示装置であって、前記表示液晶パネルと前記バックライトの間に前記バックライトが照射する光の透過を制御するスイッチ液晶パネルを配設したことを特徴とするものである。
【００２８】
第２の技術手段は、第１の技術手段において、前記表示液晶の画素と前記スイッチ液晶の画素とが１対１の関係で対応していることを特徴とするものである。
【００２９】
第３の技術手段は、第１の技術手段において、前記表示液晶の画素と前記スイッチ液晶の画素とが複数対１の関係で対応していることを特徴とするものである。
【００３０】
第４の技術手段は、第１〜３のいずれか１の技術手段において、前記表示液晶パネルと前記スイッチ液晶パネルとの間、及び、前記スイッチ液晶パネルと前記バックライトの間に偏光板を配設したことを特徴とするものである。
【００３１】
第５の技術手段は、第１〜４のいずれか１の技術手段において、前記スイッチ液晶パネルは複数の走査線及び信号線を有し、前記走査線は前記表示液晶パネルの走査線の駆動と同期して駆動され、また、前記信号線は、前記表示液晶パネルに表示される表示画像の輝度信号に応じた信号により駆動されることを特徴とするものである。
【００３２】
第６の技術手段は、第５の技術手段において、前記表示画像の輝度信号に応じた信号は、前記輝度信号の大きさに比例した、パルス幅の信号であることを特徴とするものである。
【００３３】
第７の技術手段は、第６の技術手段において、前記パルス幅の信号は、前記パルス幅の開始点が前記信号線に対応する前記走査線の駆動開始時点に位置するように供給されることを特徴とするものである。
【００３４】
第８の技術手段は、第６の技術手段において、前記パルス幅の信号は、前記パルス幅の中心が前記信号線に対応する前記走査線の駆動開始時点から終了時点の中間に位置するように供給されることを特徴とするものである。
【発明の効果】
【００３５】
本発明により、γ補正を映像信号に施すことなく、映像を表示できる液晶表示装置を提供することができる。
また、完全な黒画像を表示することができ、かつ、暗所コントラスト比が向上する液晶表示装置を提供することができる。
また、動画ボケ（尾引き又は残像）対策のために一般に用いられるオーバドライブ方法または疑似インパルス駆動方法を利用せずに、動画ボケの発生を極力抑えることができる液晶表示装置を提供することができる。
【発明を実施するための最良の形態】
【００３６】
以下に、本発明に係る液晶表示装置の実施例について、図面を参照しながら詳細に説明する。
（実施例１）
実施例１では、γ補正を映像信号に施すことなく映像を表示でき、かつ、完全な黒画像を表示することができるうえ、暗所コントラスト比が向上する液晶表示装置について説明する。
【００３７】
図１は、本発明に係る液晶表示装置の一例を説明するための図で、図１（Ａ）は、液晶表示装置の断面を模式的に示した図で、図１（Ｂ）は、表示液晶パネル及びスイッチ液晶パネルの画素構造を模式的に示した図である。
【００３８】
図中、１は本発明に係わる液晶表示装置、１１は入射光を偏光させる偏光板、２１は表示液晶、３１はバックライト４１が照射する光の透過を制御するスイッチ液晶である。
また、２１ａは表示液晶の画素、３１ａはスイッチ液晶３１の画素である。
【００３９】
図に示すように、スイッチ液晶３１が偏光板１１を介して表示液晶２１及びスイッチ液晶３１の間に配設されている。
また、図１（Ｂ）に示すように表示液晶２１の画素２１ａとスイッチ液晶３１の画素３１ａとが１対１の関係で対応するように、表示液晶２１とスイッチ液晶３１が配設されている。
【００４０】
図２は、本発明に係る液晶表示装置の他の例を説明するための図で、図２（Ａ）は、液晶表示装置の断面を模式的に示した図で、図２（Ｂ）は、表示液晶及びスイッチ液晶の画素構造を模式的に示した図である。
【００４１】
通常、近隣の画素の輝度差はほぼ同じである（輝度差が少ない）ので、図２に示すように、表示液晶２１の画素２１ａとスイッチ液晶３１の画素３１ａとが複数対１の関係で対応するように、表示液晶２１とスイッチ液晶３１が配設することもできる。図では、表示液晶２１の４画素とスイッチ液晶３１の１画素とが対応している。
なお、カラー表示液晶の１画素には、ＲＧＢのサブ画素（３画素）が含まれている。
【００４２】
図３は、スイッチ液晶を備えたＴＦＴ方式の液晶表示装置の回路構成を示すブロック図である。
図中、２１は表示液晶、２２は表示液晶２１のゲート線Ｇを駆動する表示液晶用ゲートドライバ、２３は表示液晶２１のソース線Ｓを駆動する表示液晶用ソースドライバである。
【００４３】
３１はスイッチ液晶、３２はスイッチ液晶３１のゲート線Ｇを駆動するスイッチ液晶用ゲートドライバ、３３はスイッチ液晶３１のソース線Ｓを駆動するスイッチ液晶用ソースドライバである。
【００４４】
３５は表示液晶用ゲートドライバ２２，表示液晶用ソースドライバ２３，スイッチ液晶用ゲートドライバ３２、スイッチ液晶用ソースドライバ３３を制御する表示制御装置である。
３６は表示制御装置３５が出力するＲ・Ｇ・ＢデータからＹ（輝度信号）データを生成するＹデータ生成回路、３７は生成したＹデータに比例した信号を生成する輝度調整回路である。
【００４５】
なお、ここでは、図１の構造を有する液晶表示装置（表示液晶の画素とスイッチ液晶の画素とが１対１の関係で対応するように表示液晶とスイッチ液晶が配設されている）に図示例の回路を適用した場合について説明するが、図２の構造を有する液晶表示装置であっても図示例の回路を適用できることはいうまでもない。
【００４６】
表示液晶用ゲートドライバ２２及び表示液晶用ソースドライバ２３は、前述したゲートドライバ５２及びソースドライバ５３と同様な機能を有するので、説明を省略する。
【００４７】
スイッチ液晶用ゲートドライバ３２は、スイッチ液晶のゲート線Ｇに、１水平走査ライン毎に、スイッチ液晶をオンとする走査信号電圧を順次供給して、スイッチ液晶をオンとする。
【００４８】
スイッチ液晶用ソースドライバ３３は、スイッチ液晶のソース線Ｓに電圧を供給し、スイッチ液晶用ゲートドライバ３２がオンにした行のスイッチ液晶に電圧を印加させることで液晶の配向状態を変化させ、バックライトが照射する光の透過率を制御する。
また、バックライトが照射する光の透過率は、対応する表示液晶の画素を駆動する画像信号の輝度値（後述するＹデータ）に基づいて決定される。
【００４９】
表示制御装置３５は、外部から送信されてくるクロック信号、ディスプレイタイミング信号、水平同期信号、垂直同期信号の各表示制御信号および表示用デ−タ（Ｒ・Ｇ・Ｂ）を基に、前述した各ドライバ（２２，２３，３２，３３）を制御する。また、表示用データ（Ｒ・Ｇ・Ｂ）をＹデータ生成回路３６に供給する。
【００５０】
また、タイミングコントローラ３５ａは、表示液晶用ゲートドライバ２２が表示液晶のゲート線Ｇを駆動するタイミングと同じタイミングで、スイッチ液晶用ゲートドライバ３２がスイッチ液晶のゲート線Ｇを駆動するように表示液晶用ゲートドライバ２２，スイッチ液晶用ゲートドライバ３２の駆動制御を行う。
【００５１】
例えば、表示液晶用ゲートドライバ２２が表示液晶のゲート線Ｇ２を駆動するのに同期して、スイッチ液晶用ゲートドライバ３２がスイッチ液晶のゲート線Ｇ２を駆動するようにタイミング制御を行う。
【００５２】
また、タイミングコントローラ３５ａは、表示液晶用ソースドライバ２３が表示液晶のソース線Ｓを駆動するタイミングと同じタイミングで、スイッチ液晶用ソースドライバ３３がスイッチ液晶のソース線Ｓを駆動するように表示液晶用ソースドライバ２３，スイッチ液晶用ソースドライバ３３の駆動制御を行う。
【００５３】
例えば、表示液晶用ソースドライバ２３が表示液晶のソース線Ｓ２を駆動するのに同期して、スイッチ液晶用ソースドライバ３３がスイッチ液晶のソース線Ｓ２を駆動するようにタイミング制御を行う。
【００５４】
Ｙデータ生成回路３６は、表示制御装置３５が供給する表示液晶の各画素のＲ・Ｇ・Ｂデータをもとに、Ｙデータ（輝度信号）を生成する。
ここで、輝度信号のレベル値をＹ、入力されるＲ，Ｇ，Ｂデータのレベル値をそれぞれＲｉｎ，Ｇｉｎ，Ｂｉｎとすると、Ｙは次式で表される。
Ｙ＝ｒＲｉｎ＋ｇＧｉｎ＋ｂＢｉｎ
（ｒ，ｇ，ｂ：定数）
【００５５】
輝度調整回路３７は、Ｙデータ生成回路３６が供給したＹデータに比例した所定の信号電圧を生成し、スイッチ液晶用ソースドライバ３３に供給する。
なお、図２で示したように、表示液晶の１画素に対してスイッチ液晶の４画素が対応している場合には、４画素分のＹデータが供給され、このデータに基づいて所定の信号電圧を生成することになる。
【００５６】
図４は、Ｙデータと上記信号電圧の関係の１例を示した図である。
図４（Ａ）は最大レベルの８０％のＹデータが出力された場合における信号電圧の比率、図４（Ｂ）は最大レベルの２０％のＹデータが出力された場合における信号電圧の比率を示している。
【００５７】
前述したスイッチ液晶用ソースドライバ３３は、前述した信号電圧に応じて、バックライトが表示液晶に向けて照射する光の透過率を制御する。図４（Ａ）に示した場合、スイッチ液晶は、バックライトが照射する光のうち、８０％を透過する（透過率：８０％）。また、図４（Ｂ）に示した場合、スイッチ液晶は、バックライトが照射する光のうち、２０％を透過する（透過率：２０％）。
なお、図中実線部Ｐは、スイッチ液晶のソース線が駆動されるタイミングを示し、図中破線部Ｑは、１フレーム期間ホールドされる輝度（信号電圧の比率）を示している。
【００５８】
実施例１の液晶表示装置により、下記の効果を達成することができる。
表示装置の輝度は、表示液晶の輝度とスイッチ液晶の輝度の積になる。
そして、表示液晶の輝度及びスイッチ液晶の輝度は、表示液晶及びスイッチ液晶をリニア駆動することにより、入力される映像信号の輝度値（信号）に比例するため、全体の輝度は、入力の輝度信号の二乗に比例する。それ故、テレビジョン放送において補正されるガンマ値は２．２程度であり、二乗特性の２とほぼ同じ値となり、ガンマ補正回路を設ける必要がなくなる。
【００５９】
また、全体のコントラスト比は、表示液晶のコントラスト比とスイッチ液晶のコントラスト比との積となる。そのため、それぞれのコントラスト比が例えば１００であっても、全体のコントラスト比は１０，０００となり、コントラスト比が大幅に大きくなる。
【００６０】
また、液晶表示装置の黒表示時の光漏れは、表示液晶の黒表示時の光漏れとスイッチ液晶の黒表示時の光漏れとの積となる。そのため、例えば、表示液晶とスイッチ液晶の光漏れがそれぞれ１００分の１であっても、全体では１０，０００分の１となり、光漏れが大幅に改善される。また、暗所コントラスト比も大幅に改善されることになる。
【００６１】
（実施例２）
実施例２では、動画ボケ（尾引き又は残像）対策のために一般に用いられるオーバドライブ方法または疑似インパルス駆動方法を利用せずに、動画ボケの発生を極力抑えることができる液晶表示装置について説明する。
【００６２】
図５は、上述した動画ボケの発生を極力抑えることができる液晶表示装置の回路構成を示すブロック図である。図５に示す液晶表示装置は、図３に示す液晶表示装置とは、表示制御装置３５０内の回路構成が異なる点、及び、図３に示した輝度調整回路３７の替わりにスイッチ液晶用ソースドライバ３３の駆動タイミングを設定するＰＷＭ変調回路３８を使用している点で異なっている。
【００６３】
表示制御装置３５０は、表示液晶を駆動するタイミング信号を生成する液晶駆動タイミング生成回路３５１、液晶駆動タイミング生成回路３５１が生成する表示液晶ラインクロックＤＬＣＬＫを、垂直方向における表示液晶の画素数とスイッチ液晶の画素数との対応比（ＮＶ）に応じて分周するＮＶ分周回路３５２、液晶駆動タイミング生成回路３５１が生成する表示液晶パネルクロックＤＰＣＬＫを、水平方向における表示液晶の画素数とスイッチ液晶の画素数との対応比（ＮＨ）に応じて分周するＮＨ分周回路３５３から構成される。なお、表示液晶の画素数とスイッチ液晶の画素数が垂直方向において１：２で対応している場合にはＮＶ＝２、又、水平方向において１：２で対応している場合にはＮＨ＝２となる（図２参照）。
【００６４】
液晶駆動タイミング生成回路３５１は、ＰＬＬ回路及びカウンタ回路等から構成され、図示しないクロック生成回路が生成するパネルクロックを、外部から入力される垂直同期信号Ｖ及び水平同期信号Ｈと同期させ、垂直スタートパルスＶＳＰ及び水平スタートパルスＨＳＰ、表示液晶ラインクロックＤＬＣＬＫ及び表示液晶パネルクロックＤＰＣＬＫを生成する。
【００６５】
さらに、液晶駆動タイミング生成回路３５１は、生成した垂直スタートパルスＶＳＰを、表示液晶用ゲートドライバ２２、スイッチ液晶用ゲートドライバ３２、及び、ＮＶ分周回路３５２に供給する。同時に、生成した水平スタートパルスＨＳＰを、表示液晶用ソースドライバ２３、スイッチ液晶用ソースドライバ３３、及び、ＮＨ分周回路３５３に供給する。
【００６６】
さらに、液晶駆動タイミング生成回路３５１は、生成した表示液晶ラインクロックＤＬＣＬＫを、表示液晶用ゲートドライバ２２及びＮＶ分周回路３５２に供給する。また、生成した表示液晶パネルクロックＤＰＣＬＫを、表示液晶用ソースドライバ２３及びＮＨ分周回路３５３に供給する。
【００６７】
なお、後述するように、表示液晶用ゲートドライバ２２は、表示液晶ラインクロックＤＬＣＬＫに同期して表示液晶のゲート線Ｇを順次駆動し、同様に、表示液晶用ソースドライバ２３は、表示液晶パネルクロックＤＰＣＬＫに同期して表示液晶のソース線Ｓを順次駆動する。
【００６８】
ＮＶ分周回路３５２は、液晶駆動タイミング生成回路３５１が供給する垂直スタートパルスＶＳＰに基づき、液晶駆動タイミング生成回路３５１が供給する表示液晶ラインクロックＤＬＣＬＫをＮＶ分周し、スイッチ液晶ラインクロックＳＬＣＬＫとして、スイッチ液晶用ゲートドライバ３２に供給する。なお、後述するように、スイッチ液晶用ゲートドライバ３２は、スイッチ液晶ラインクロックＳＬＣＬＫに同期してスイッチ液晶のゲート線Ｇを順次駆動する。
【００６９】
ＮＨ分周回路３５３は、液晶駆動タイミング生成回路３５１が供給する水平スタートパルスＨＳＰに基づき、液晶駆動タイミング生成回路３５１が供給する表示液晶パネルクロックＤＰＣＬＫをＮＨ分周し、スイッチ液晶パネルクロックＳＰＣＬＫとして、スイッチ液晶用ソースドライバ３３及びＰＷＭ変調回路３８に供給する。
【００７０】
ＰＷＭ変調回路３８は、ＮＨ分周回路３５３により供給されたスイッチ液晶パネルクロックＳＰＣＬＫに同期して、Ｙデータ生成回路３６が生成するＹデータ（輝度信号）に比例したパルス幅（デューティー比）の信号をスイッチ液晶用ソースドライバ３３に供給する。なお、後述するように、スイッチ液晶用ソースドライバ３３は、このパルス幅の信号に同期して、スイッチ液晶３１のソース線Ｓを順次駆動する。
【００７１】
次に、液晶表示装置の駆動タイミングを図６及び図７を参照しながら説明する。なお、ここでは、一例として、表示液晶２１の４画素（垂直方向２画素及び水平方向２画素：ＮＶ＝２，ＮＨ＝２）とスイッチ液晶３１の１画素とが対応している図２に示した液晶表示装置の駆動タイミングについて説明する。
【００７２】
図６は、表示液晶及びスイッチ液晶のゲートドライバの駆動タイミングを説明するためのタイミングチャートである。
垂直同期信号Ｖが液晶駆動タイミング生成回路３５１に供給されると、垂直スタートパルスＶＳＰに同期して、表示液晶ラインクロックＤＬＣＬＫが生成され、表示液晶用ゲートドライバ２２及びＮＶ分周回路３５２に供給される。
表示液晶用ゲートドライバ２２は、供給された表示液晶ラインクロックＤＬＣＬＫに同期して、表示液晶のゲート線Ｇを順次駆動して、各ラインをオンにする。
【００７３】
同時に、ＮＶ分周回路３５２は、供給された表示液晶ラインクロックＤＬＣＬＫを２分周して、スイッチ液晶ラインクロックＳＬＣＬＫを生成し、スイッチ液晶用ゲートドライバ３２に供給する。
スイッチ液晶用ゲートドライバ３２は、供給されたスイッチ液晶ラインクロックＳＬＣＬＫに同期して、スイッチ液晶のゲート線Ｇを順次駆動して、各ラインをオンにする。
【００７４】
また、前述したように、表示液晶の２画素（ライン）とスイッチ液晶の１画素（ライン）が対応しているため、２クロックの表示液晶ラインクロックＤＬＣＬＫに対して、１クロックのスイッチ液晶ラインクロックＳＬＣＬＫが生成される。
そのため、例えば、表示液晶のゲート線Ｇ１，Ｇ２が駆動されるタイミングに同期してスイッチ液晶のゲート線Ｇ１が駆動される。
【００７５】
図７は、表示液晶及びスイッチ液晶のソースドライブの駆動タイミングを説明するためのタイミングチャートである。
【００７６】
水平同期信号Ｈが液晶駆動タイミング生成回路３５１に入力されると、水平スタートパルスＨＳＰに同期して、表示液晶パネルクロックＤＰＣＬＫが生成され、表示液晶用ソースドライバ及びＮＨ分周回路３５３に供給される。
表示液晶用ソースドライバ２３は、供給された表示液晶パネルクロックＤＰＣＬＫに同期して、表示液晶用ゲートドライバ２２が駆動したラインにおける表示液晶のソース線Ｓを順次駆動する。
【００７７】
同時に、ＮＨ分周回路３５３は、供給された表示液晶パネルクロックＤＰＣＬＫを２分周して、スイッチ液晶パネルクロックＳＰＣＬＫを生成し、スイッチ液晶用ソースドライバ３３及びＰＷＭ変調回路３８に供給する。また、前述したように、表示液晶の２画素（パネル）とスイッチ液晶の１画素（パネル）が対応しているため、２クロックの表示液晶パネルクロックＤＰＣＬＫに対して、１クロックのスイッチ液晶パネルクロックＳＰＣＬＫが生成される。
【００７８】
さらに、ＰＷＭ変調回路３８は、スイッチ液晶パネルクロックＳＰＣＬＫに同期して、Ｙデータ（輝度信号）に比例したパルス幅（例えばデューティー比：５０％）の信号であるＰＷＭ信号Ａ（又はＰＷＭ信号Ｂ）を生成し、スイッチ液晶用ソースドライバ３３に供給する。
スイッチ液晶用ソースドライバ３３は、ＰＷＭ信号Ａ（又はＰＷＭ信号Ｂ）に同期して、スイッチ液晶３１のソース線Ｓを順次駆動する。
【００７９】
図示例では、ＰＷＭ信号Ａは、パルス幅の中心がスイッチ液晶パネルクロックＳＰＣＬＫの立ち上がり時点から次の立ち上がり時点の中間に位置するように生成され、他方、ＰＷＭ信号Ｂは、パルス幅の開始点がスイッチ液晶パネルクロックＳＰＣＬＫの立ち上がり時点に位置するように生成されている。
【００８０】
また、ＰＷＭ信号がＯＮ（立ち上がり）の間は、スイッチ液晶３１は、バックライトの光を透過するが、ＰＷＭ信号がＯＦＦ（立ち下がり）の間は、バックライトの光を透過しない。
【００８１】
実施例２の液晶表示装置により、実施例１の液晶表示装置が達成した効果に加え、下記の効果を達成することができる。
ＰＷＭ信号がＯＮの間のみ映像が表示されるので、液晶表示装置でありながら、インパルス駆動を擬似的に実現することができる。そのため、擬似的に液晶の応答時間が速くなり、網膜残像に起因する残像現象が発生せず、動画ボケ（尾引き又は残像）が発生しなくなる。
【００８２】
なお、実施例１，実施例２の液晶表示装置を携帯電話機、パソコン、テレビジョン受信装置等に組み込むことができることはいうまでもない。
【図面の簡単な説明】
【００８３】
【図１】本発明に係る液晶表示装置の一例を説明するための図である。
【図２】本発明に係る液晶表示装置の他の例を説明するための図である。
【図３】本発明に係る液晶表示装置の回路構成を示すブロック図である。
【図４】Ｙデータと信号電圧の関係の１例を示した図である。
【図５】本発明に係る液晶表示装置の他の回路構成を示すブロック図である。
【図６】表示液晶及びスイッチ液晶のゲートドライブの駆動タイミングを説明するためのタイミングチャートである。
【図７】表示液晶及びスイッチ液晶のソースドライブの駆動タイミングを説明するためのタイミングチャートである。
【図８】ＴＦＴ方式の液晶表示装置について説明するための図である。
【図９】動画ボケについて説明するための図である。
【符号の説明】
【００８４】
１…液晶表示装置、１１…偏光板、２１…表示液晶、２１ａ…表示液晶の画素、２２…表示液晶用ゲートドライバ、２３…表示液晶用ソースドライバ、３１…スイッチ液晶、３１ａ…スイッチ液晶の画素、３２…スイッチ液晶用ゲートドライバ、３３…スイッチ液晶用ソースドライバ、３５，３５０…表示制御装置、３５ａ…タイミングコントローラ、３５１…液晶駆動タイミング生成回路、３５２…ＮＶ分周回路、３５３…ＮＨ分周回路、３６…Ｙデータ生成回路、３７…輝度調整回路、３８…ＰＷＭ変調回路、４１…バックライト、５１…表示液晶、５１ａ…表示液晶の画素、５２…ゲートドライバ、５３…ソースドライバ、５４…表示制御装置。
【図１】
2008051912.tif 000003
【図２】
2008051912.tif 000004
【図３】
2008051912.tif 000005
【図４】
2008051912.tif 000006
【図５】
2008051912.tif 000007
【図６】
2008051912.tif 000008
【図７】
2008051912.tif 000009
【図８】
2008051912.tif 000010
【図９】
2008051912.tif 000011